(57)【要約】【課題】  照明器具にプロジェクターなどの映像表示機能を持たせることによって、照明をＯＦＦにした後にＴＶ等の動画映像を表示できるようにし、これにより、今まで活用できていなかったグローブ内の空間を有効に活用できるようにする。【解決手段】  少なくとも蛍光ランプ２及び豆球６などの発光体とこの発光体を点灯させる点灯装置とを具備した器具本体１の外部を半透明の透光性グローブ３で覆い、天井あるいは壁に直付けする構造の照明器具において、この照明器具の内部に画像投影機構（小型プロジェクター８など）を設け、蛍光ランプ２を消灯したのち透光性グローブ３をスクリーンとしてこの透光性グローブ３の内面に画像を投影する画像表示機能を持たせるようにした。【選択図】      図１
2006086024.tif 000002
【特許請求の範囲】
【請求項１】
発光体を具備した照明器具であって、前記照明器具本体の外部を覆う半透明の透光性グローブと、前記照明器具の内部に設置された画像投影機構とを備え、前記画像投影機構は前記発光体を消灯したのち前記透光性グローブ内面に画像を投影することを特徴とする照明器具。
【請求項２】
前記画像投影機構がプロジェクターであることを特徴とする請求項１記載の照明器具。
【請求項３】
前記画像投影機構が被投影物とレンズ及び反射ミラーと光源とから構成されていることを特徴とする請求項１記載の照明器具。
【請求項４】
前記画像投影機構の光源に前記発光体を構成する豆球を利用することを特徴とする請求項３記載の照明器具。
【請求項５】
前記透光性グローブ面の一部を液晶パネルで構成したことを特徴とする請求項１記載の照明器具。
【請求項６】
発光体を具備した照明器具であって、前記照明器具本体の外部を覆う半透明の透光性グローブと、前記照明器具の外部に設置された画像投影機構とを備え、前記画像投影機構は前記発光体を消灯したのち前記透光性グローブ外面に画像を投影することを特徴とする照明器具。
【請求項７】
前記透光性グローブに投影する画像は、動画あるいは静止画であることを特徴とする請求項１又は６記載の照明器具。
【発明の詳細な説明】
【技術分野】
【０００１】
本発明は、住居又は公共建築物などの天井や壁に取り付けられる照明器具に関し、特に照明器具を覆う半透明の透光性グローブ面に画像等を投影表示できるようにした表示画面付の照明器具に関する。
【背景技術】
【０００２】
従来の天井又は壁への直付け型照明器具は、インバータなどの点灯装置と、この点灯装置の下側に取り付けられる蛍光ランプ及び豆球などの光源とから器具本体が構成されている。そして、この器具本体を天井又は壁に直付けし、これらの点灯装置及び光源を一体にカバーする半透明の透光性グローブ（以下、単にグローブと称する）を取り付けることによって照明器具が構成されている。
【０００３】
このように構成された照明器具において、グローブの内部空間に模様又は図形などを印刷した透明板を設置し、この透明板に蛍光ランプ又は豆球からの光を投射する構造のものがある。そして、模様又は図形の映像を照明効果が損なわれない範囲でグローブ内面に投影表示する表示画面付の照明器具が知られている（例えば、特許文献１参照。）。
【０００４】
この表示画面付の照明器具によれば、照明器具点灯時に室内にいて、グローブに浮かび上がる映像を眺めている人に対し宣伝効果や美的効果を与えることができる。そのため、駅構内や地下街など、人の多く集まる場所では単なる照明装置としてだけではなく情報伝達手段としての利用価値も捨てがたいものとなっている。
【０００５】
【特許文献１】特開２００４−０７１３５０号公報
【発明の開示】
【発明が解決しようとする課題】
【０００６】
しかしながら上記した従来の表示画面付の照明器具は、情報伝達手段としての機能を備えてはいるものの、見る人に画像を印象付けようとすれば静止画像よりも動画のほうが強い印象を与えることは明白である。一般にグローブに映し出される画像はあくまでも静止画像であって動画ではない。
【０００７】
さらに、従来の表示画面付の照明器具は、例え、それが静止画像であっても照明をＯＦＦにすると同時に光源が途絶えてしまい、周囲は真っ暗となって何も見えないという状態となる。これも表示装置としては全く機能していないことになる。
【０００８】
本発明は上記問題点を解決するためになされたもので、照明をＯＦＦにした後は、今まで何にも活用できていなかった照明器具に動画等の映像表示機能を持たせることができるようにする。これにより、今まで活用できていなかったグローブ内外の空間を有効に活用できるようにすることを目的とする。
【課題を解決するための手段】
【０００９】
本発明は、発光体を具備した照明器具であって、前記照明器具本体の外部を覆う半透明の透光性グローブと、前記照明器具の内部に設置された画像投影機構とを備え、前記画像投影機構は前記発光体を消灯したのち前記透光性グローブ内面に画像を投影する画像表示機能を持たせるようにしている。
【００１０】
また、本発明に係る前記画像投影機構がプロジェクターであること、前記画像投影機構が被投影物とレンズ及び反射ミラーと光源とから構成されていること、また、前記画像投影機構の光源に前記豆球を利用すること、また、前記透光性グローブ面の一部を液晶パネルで構成したことを特徴としている。
【００１１】
また、本発明は、発光体を具備した照明器具であって、前記照明器具本体の外部を覆う半透明の透光性グローブと、前記照明器具の外部に設置された画像投影機構とを備え、前記画像投影機構は前記発光体を消灯したのち前記透光性グローブ外面に画像を投影する画像表示機能を持たせるようにしている。
【００１２】
また、本発明に係る前記透光性グローブに投影する画像は、動画あるいは静止画であることを特徴としている。
【発明の効果】
【００１３】
本発明の照明器具によれば、今まで照明をＯＦＦにした後は何にも活用できていなかった照明器具に、映像表示機能を持たせたことによってＴＶ等の映像を表示できるようになった。これにより、今まで活用できていなかったグローブ内の空間を有効に活用できるようになった。
【発明を実施するための最良の形態】
【００１４】
次に、本発明の一実施の形態について、図面を参照して説明する。図１は本発明の照明器具の分解斜視図である。
【００１５】
従来、図形等を印刷した固定式の透明板に代ってフィルム巻き取り式の投影表示装置が実用化されている。この装置は簡便で、かつ図形等が一方向に移動する点において見る人の注意を引く効果はあるが、静止画像が移動しているだけでいわゆる動画ではない。そのため表示装置としての機能には限界がある。本発明は、画像投影装置などの投影機構と照明器具とを組み合わせることによって、照明器具の消灯時間を利用してグローブに動画映像を投影しようとするものである。
【００１６】
まず、図１に示すように、本発明に係る照明器具は、一般に使用されている構造のものをそのまま利用している。すなわち、天井あるいは壁に直付けされる器具本体１と、環状蛍光ランプ２（以下、単に蛍光ランプ２と称する）と、グローブ３とから構成されている。器具本体１には反射板４が取り付けられ、反射板４の内側には図示していない点灯装置が組み込まれており、外側には蛍光ランプ２を嵌めこむ取付具５が設けられている。なお、蛍光ランプは直管型蛍光ランプでもよい。
【００１７】
さらに、器具本体１には、蛍光ランプ２を含めて器具本体１の外側全体を覆うグローブ３が取り付けられる。グローブ３は半透明で透光性の樹脂材料などからなる球面状のカバーである。そして、蛍光ランプ２と豆球６をＯＮ、ＯＦＦするプルスイッチ７を有する。
【００１８】
このような従来構造の直付け型照明器具を利用した本発明の照明器具の特徴は、グローブの内部あるいは外部に画像投影装置を設置していることである。そして、グローブをスクリーンとして利用し、その内面あるいは外面に動画（静止画でもよい）映像を投影表示できるようにしたものである。
【００１９】
そして、通常は照明器具として使用し、消灯の際はプルスイッチを引いて照明をＯＦＦにする。ＯＦＦになると同時にプルスイッチに連動している画像投影装置（例えば液晶プロジェクター）の電源スイッチがＯＮになり、画像投影装置が作動し始める。すなわち、照明が消えて周囲が暗くなると同時に電源が画像投影装置に切り変わる。そして、スクリーン機能を兼ね備えたグローブに投影された映像を映し出すようになっている。この映像をグローブの外部から眺めることができるようにしたことによって、照明器具としての機能のほかに画面表示機能を持つ照明器具を提供することができる。
【００２０】
以下に、本発明の照明器具の一実施形態を実施例に基づいて説明する。なお、実施例１の説明には、図１をそのまま利用するものとする。
【実施例１】
【００２１】
まず、実施例１に示す照明器具は、図１に示すように、反射板４の内側に画像投影装置として小型プロジェクター８を内蔵している。この小型プロジェクター８は、例えばＬＥＤ等の光源を使用したキーホルダー型のプロジェクターが市販されており、外形も照明器具内に十分収まるだけの大きさである。本実施例では、この既存のプロジェクターを応用した小型プロジェクター８を器具本体１に内蔵させている。
【００２２】
そして、図１では、小型プロジェクター８の投写レンズ９が反射板４から外側に突き出し、スクリーンであるグローブ３に向いた状態を示している。この投写レンズ９は、投影画像がグローブ３のほぼ中心位置に投影できるように焦点距離が設定されたものを使用する。この場合、画像投影装置は、少なくとも投光用の光源と、反射ミラー及び投写レンズ等からなる投影手段を備えていればよい。すなわち、これら個別の投影手段が照明器具内でプロジェクターとしての機能を発揮できる構成に配置されていればよく、必ずしもプロジェクター装置として小型一体化された筐体構造をとる必要はない。
【００２３】
通常は、小型プロジェクター８の電源はＯＦＦに設定されており、照明をＯＦＦにしたのちＯＮに切り替わる。そして、投写レンズ９からの出射光をグローブ３の内面に投射し結像させるようになっている。その際、投写レンズ９からの出射光はグローブ３の中心部に対しほぼ垂直に直接投射できるようにするのが好ましい。しかし、スペースの関係で投写レンズを器具本体の中心位置に配置できない場合がある。このような場合には、図１のように中心位置をずらして斜め方向から投射したり、あるいは、反射ミラー（図示せず）を介して投射光路をグローブの中心付近に移動させたりしてもよい。
【００２４】
なお、上記実施例１では、小型プロジェクター８の取り付け個所を反射板４の内側としてきたが、反射板４の外側、すなわちグローブ３と反射板４で囲まれる空間部に設置してもよい。この場合は、反射ミラー等による光路調整などがやり易くなる利点がある。
【実施例２】
【００２５】
実施例１のように構成された照明器具において、小型プロジェクターを使用する代わりに、図２に示すような被投影物１６を照明器具内部に設置する構成としてもよい。そして、別途設けた光源１４からの光路は、２枚の反射ミラー１５及び投射レンズ９拡大され、グローブ３の内面に被投影物１６の映像を映し出す。図６は被投影物が時計の場合の投影例１及び２を示す図である。図６（ａ）はアナログ表示時計の文字盤映像画面１０を示す図で、文字盤は透光板で構成し文字や針は不透光材で構成する。図６（ｂ）はデジタル表示時計の時刻映像画面１１を示す図で、表示部分をＬＥＤ等の発光体で構成すれば光源を用いなくてもよくなる。これにより、時計の時刻変化を動画としてグローブ内面に投影表示できる。
【実施例３】
【００２６】
次に、実施例３について説明する。実施例２では、画像表示用の光源を別途設けた構成であったが、本実施例では、図３に示すように照明器具の豆球６（常夜灯）をそのまま光源として利用する。これにより、投影機構が簡素化され、照明器具の蛍光ランプ２をＯＦＦにすると同時に豆球６に切り替えるだけで特別の電源装置などを必要としない。なお、豆球６からグローブ３に至る光路は、図２で示したものと同様である。ただし、豆球６からの散光を防ぐために、豆球６に遮光体１８を被せた構造としている。また、映像の明るさについても、暗闇で表示画面が読み取れる程度の表示機能が得られればそれで十分である。
【実施例４】
【００２７】
次に、実施例４について説明する。上記実施例１、２、３の照明器具は、映像をグローブの内面に投影する構造であった。本実施例は、図４に示すようにプロジェクター１２を照明器具の外部でかつ下方に設置し、グローブ３の下側からグローブ３の外面に映像を投影するようにしたものである。すなわち、照明器具の外部に別置き型のタイマー機能付照明用リモコン等を設置する。そして、このタイマーリモコン１７からの信号により、例えば、照明がＯＦＦになると同時にプロジェクター１２をＯＮにし、グローブ３の外面に映像を投影するようにしている。このように、タイマーに時刻をセットすることによって、ＯＮ、ＯＦＦのタイミングを任意に設定できる。なお、ここで使用するプロジェクター１２は、特に小型プロジェクターである必要はない。
【実施例５】
【００２８】
次に、実施例５について説明する。本実施例は、図５に示すように、通常、透光性の樹脂材料で形成されているグローブ３の中央部分を液晶パネル１３で構成したものである。これにより、照明器具として使用するときは蛍光ランプをバックライトとして使用し、液晶パネル１３からは白色光を出力させる。また、消灯後、液晶ディスプレイモニターとして使用するときは、照明器具にビデオプロジェクター、あるいはアンテナやＴＶチューナー等を接続させる。これによって、図５の投影像に示すように、グローブ３に設けられた液晶パネル１３にリラクゼーション映像、映画、ＴＶ画像等を直接放映することができる。
【産業上の利用可能性】
【００２９】
本発明の照明器具によれば、消灯後、グローブに浮かび上がる映像を眺める人に対し宣伝効果や美的効果を与えることができる。また、駅構内や地下街など、人の多く集まる場所では、単なる照明装置としてだけではなく情報伝達手段としての利用価値も大きなものとなる。
【図面の簡単な説明】
【００３０】
【図１】本発明の照明器具の一実施形態及び実施例１を示す分解斜視図である。
【図２】本発明における実施例２を示す概略断面図である。
【図３】本発明における実施例３を示す概略断面図である。
【図４】本発明における実施例４を示す概略断面図である。
【図５】本発明における実施例５を示すグローブの底面図である。
【図６】実施例２における時計表示画面の投影例を示す図で、図（ａ）は投影例１、図（ｂ）は投影例２を示す。
【符号の説明】
【００３１】
１    器具本体
２    蛍光ランプ
３    グローブ
４    反射板
５    取付具
６    豆球
７    プルスイッチ
８    小型プロジェクター
９    投射レンズ
１０    アナログ表示時計の文字盤映像画面
１１    デジタル表示時計の時刻映像画面
１２    プロジェクター
１３    液晶パネル
１４    光源
１５    反射ミラー
１６    被投影物
１７    タイマーリモコン
１８    遮光体
【図１】
2006086024.tif 000003
【図２】
2006086024.tif 000004
【図３】
2006086024.tif 000005
【図４】
2006086024.tif 000006
【図５】
2006086024.tif 000007
【図６】
2006086024.tif 000008